(57)【特許請求の範囲】
【請求項１】
使用者の額部に弾力的に着用して、汗を誘導する汗誘導用ヘアバンドであって、
使用者の額部に締め付けて装着可能な第１の締結部及び第２の締結部からなる二重締結部を含む締結部材と、
前記第１の締結部に連続して設けられた第１のバンド部材と、前記第２の締結部に連続して設けられた第２のバンド部材とを含むバンド部と、
前記第１のバンド部材と第２のバンド部材との間に設けられた汗誘導部とを含み、
前記締結部材、バンド部、及び汗誘導部は、同一材質からなり、分離することができない構造として単一工程により一体に形成されていることを特徴とする汗誘導用ヘアバンド。
【請求項２】
前記汗誘導部は、
一側面が使用者の額部に密着される第１の誘導部材と、
前記第１の誘導部材の下部で前記第１の誘導部材に連続して設けられる汗案内部と、
前記第１の誘導部材と間隔を置いて、前記汗案内部に連続して設けられる第２の誘導部材とを含むことを特徴とする請求項１に記載の汗誘導用ヘアバンド。
【請求項３】
前記第１のバンド部材、前記第２の誘導部材、及び第２のバンド部材は、連続して一体に形成されることを特徴とする請求項２に記載の汗誘導用ヘアバンド。
【請求項４】
前記第２の誘導部材の高さは、前記第１の誘導部材の高さよりも高く形成されることを特徴とする請求項２に記載の汗誘導用ヘアバンド。
【請求項５】
前記第１の誘導部材の外側の下部には、使用者の額部と前記第１の誘導部材との間で隙間が形成されるように、複数の第１の突起が設けられることを特徴とする請求項２に記載の汗誘導用ヘアバンド。
【請求項６】
前記第２の誘導部材の内側には、前記第１の誘導部材と前記第２の誘導部材との間の間隔が維持されるように、複数の第２の突起が設けられることを特徴とする請求項２に記載の汗誘導用ヘアバンド。
【請求項７】
前記第１の誘導部材の両端部における汗案内部の幅は、前記第１の誘導部材の中央部分における汗案内部の幅よりも狭く形成されることを特徴とする請求項２に記載の汗誘導用ヘアバンド。
【請求項８】
前記汗誘導部は、中央部と両端部からなり、前記中央部より両端部へ行くほど、傾斜して形成されることを特徴とする請求項１に記載の汗誘導用ヘアバンド。
【請求項９】
前記汗誘導部は、前記バンド部に対して、５〜３０度の傾斜を有するように形成されることを特徴とする請求項１に記載の汗誘導用ヘアバンド。
【請求項１０】
前記第１の誘導部材には、複数の汗排出口が設けられることを特徴とする請求項２に記載の汗誘導用ヘアバンド。
【請求項１１】
前記第１の誘導部材の上部は、山と谷を備えた波形状からなることを特徴とする請求項２に記載の汗誘導用ヘアバンド。
【請求項１２】
前記山の部分は、前記第２の誘導部材と同一の高さであり、
前記谷の部分は、前記第２の誘導部材より低く設けられることを特徴とする請求項１１に記載の汗誘導用ヘアバンド。
【請求項１３】
前記締結部材は、前記第１のバンド部材の端部に形成された第１の固定突起と、前記第２のバンド部材の端部に形成された第２の固定突起と、前記第１及び第２の固定突起が結合するように、前記第１のバンド部材及び第２のバンド部材にそれぞれ設けられた複数の締結口とを含み、前記第１のバンド部材には、前記第２のバンド部材の一部が通過して、前記第２の固定突起が前記第１のバンド部材の複数の締結口に締め付けられる貫通孔が設けられることを特徴とする請求項１に記載の汗誘導用ヘアバンド。
【請求項１４】
前記第１のバンド部材と第２のバンド部材にはそれぞれ、ヘアバンドの装着位置を容易に調節するための少なくとも１つの孔が設けられることを特徴とする請求項２に記載の汗誘導用ヘアバンド。
【請求項１５】
前記第１の誘導部材の両端部は、前記第１のバンド部材と第２のバンド部材とにそれぞれ設けられた孔に隣接して設けられることを特徴とする請求項１４に記載の汗誘導用ヘアバンド。
【請求項１６】
前記汗案内部の両端部には、汗排出部材が連結されることを特徴とする請求項３に記載の汗誘導用ヘアバンド。
【請求項１７】
前記第１の誘導部材の上部は、外側に向かって曲げられることを特徴とする請求項３に記載の汗誘導用ヘアバンド。
【請求項１８】
前記バンド部と汗誘導部は、弾性を持つゴム又は樹脂からなることを特徴とする請求項１に記載の汗誘導用ヘアバンド。
【発明の詳細な説明】
【技術分野】
【０００１】
本発明は、運動中あるいは作業中に、使用者の頭部から額部へ流れる汗が、目部に流れ込まないように誘導して排出する汗誘導用ヘアバンドに関する。
【背景技術】
【０００２】
一般に、野外で作業を行うか、山登り又は運動などをする場合、身体の活動によって多量の汗が排出される。汗は、水分を主として、一部の尿素、尿酸、脂肪酸などの成分が含有されており、マラソン、ジョギング、サイクル、及び山登りなどの運動をするか、野外作業などを行う場合、体温調節のために汗が流れ、このような汗に含有された微量の化学成分が目に入るようになると、目がしみたり、視野が妨げられたりするので、運動や山登りをすることにおいて、妨害要素となる。
【０００３】
すなわち、マラソン、ジョギング、サイクル、山登り、フィジカル・フィットネス（ｐｈｙｓｉｃａｌ  ｆｉｔｎｅｓｓ）などの運動に際して、身体部位のうち、頭から額に流れる汗が顔面に伝わって流れることを防止するために、汗を吸収するヘアバンドを着用したりする。このようなヘアバンドは、主に、汗受け部分が繊維材から形成されて、汗の一部を吸収するが、続けて流れる汗を吸収するには、機能上無理がある。また、汗受け部分が汗で濡れた場合、汗受けの柔らかい材質が固くなるか、変形が起きて異質感を与えて、神経が鋭敏な人は、初めからヘアバンドを脱いでしまうなどの問題点があった。
【０００４】
このような問題点を解決するための技術の一例が、下記の文献などに開示されている。
【０００５】
例えば、米国特許第７３９８５５９号明細書（特許文献１）（２００８．０７．１５）には、実質的に非吸水性バンドが、前方バンド部と２つの側面バンド部とを含み、バンドの外側表面から延在した排水構造が設けられ、排水構造は、排水ベースと排水リップを含み、前方バンド部及び第１及び第２の側面バンド部の少なくとも一部と結合した排水構造は、略Ｕ字状の断面を有する汗チャンネルを形成し、排水ベースは、中央部分に第１の厚みを有し、その端部に第２の厚みを有し、第１の厚みは、第２の厚みよりも大きく、排水ベースは、中心部から端部に向かって下方に傾斜して、第１の厚みから第２の厚みに流れ、締結構造は、２つのファスナー及び弾性ループ部材を有するヘッドバンド装置について開示されている。
【０００６】
また、米国特許第９００９８６９号明細書（特許文献２）（２０１５．０４．２１．）には、接着剤により着用者に付着される汗誘導装置であって、頭の周りを取り囲むことなく、顔の一部分（額部）に付着することができ、その間にチャンネルを形成するために、装置のベースで結合される第１のレッグ及び第２のレッグを含み、着用者の額に接着して用いられる構造について開示されている。
【０００７】
更に、韓国登録実用新案第２０−０４６２５５１号公報（特許文献３）（２０１２．０９．１０．登録）には、汗排出帽子の内側前面に結合される汗排出バンドを含み、前記汗排出バンドは、一側面が前記汗排出帽子の内側前面に結合される第１のバンド部材と、一側面が額に密着される第２のバンド部材と、前記第１のバンド部材の他側面の下端と前記第２のバンド部材の他側面の下端とを連結し、前記第１のバンド部材と前記第２のバンド部材との間に溝を形成する延在部とを含む汗排出帽子について開示されている。
【０００８】
なお、韓国登録実用新案第２０−０４６２９７６号公報（特許文献４）（２０１２．１０．０５．登録）には、図１に示しているように、頭部に弾力的に着用されるヘアバンド１００と、汗あふれ防止段差２００と、汗排水溝とを含み、前記汗排水溝は、額から流れる汗が収容排出されるように、前記ヘアバンドの前方中央部分からヘアバンドの両側面の中央部分まで延設して形成され、汗あふれ防止段差２００の両端部には、汗排水溝を介して移送される汗が排出される汗排出部２４０が形成され、前記汗あふれ防止段差２００は、前記ヘアバンドの下端より前方に延在する汗ガイド部と、前記汗ガイド部の端部から上側に延設して形成され、前後方にジグザグのベローズ状に設けられて、内側に汗が満たされるベローズ溝が形成される汗あふれ防止部とを備えた汗取りバンドについて開示されている。
【０００９】
しかし、上述したような米国特許第７３９８５５９号明細書に開示された技術では、Ｕ字状に設けられた排水構造において、中央部分の厚みが厚くなり、前方バンド部において、皮膚接触部が排水部よりも高く形成されて、汗が過多に排出されると、汗があふれて、使用者の目部に流れるようになり、バンド部とは別に、弾性ループ部材とフックファスナー（ｆａｓｔｅｎｅｒ）を設けなければならないので、製造過程が煩雑になるという問題があった。また、排水部の長さが、皮膚接触部の長さよりも短く形成され、排水部が皮膚接触部の外側に設けられて、汗の排出が、排水部を介して顔部分に流れるようになるという問題もあった。
【００１０】
また、米国特許第９００９８６９号明細書に開示された技術では、接着部材で使用者の目部に付着させる構造であって、接着部材により不快感が生じることになり、また、繰り返して使用することができず、接着部材が使用者の皮膚より離脱する可能性が大きいという問題点があった。
【００１１】
更に、韓国登録実用新案第２０−０４６２５５１号公報に開示された技術では、専用帽子を使わなければならず、帽子にバンドが装着されるので、汗の排出を円滑にするために、帽子を使用者の眉毛部分まで着用しなければならず、これにより、帽子のブリム部分により目が覆われ、また、使用に際して、帽子の位置変動によって、バンドの位置も変更されて、汗排出機能を確実に実現することが困るとう問題があった。一方、帽子を着用することで汗排出機能を実現するので、激烈な運動時、帽子が脱がされる場合、本来の機能を実現することができず、フィットネスなどの室内運動時、通常、使用者が帽子を着用しないので、その効率が低下するという問題もあった。また、過多な汗の排出時、使用者が帽子の着用による不便さで帽子を脱ぐ場合、汗排出の機能を全く実現することができないという問題もあり、帽子にバンドを装着するために、バンド部材を必要以上のサイズに作るべきであるという問題もあった。
【００１２】
なお、韓国登録実用新案第２０−０４６２９７６号公報に開示された技術では、複数のベローズ溝が設けられた防止段差２００の部分が、ヘアバンド部１００よりも低く形成されて、過多な汗の排出時、前記特許文献１で提示しているように、汗があふれて、使用者の目部に流れ込むようになり、ベルクロ（登録商標）ファスナーと固定リングを設けなければならないので、製造過程が煩雑になるという問題があった。
【先行技術文献】
【特許文献】
【００１３】
【特許文献１】米国特許第７３９８５５９号明細書
【特許文献２】米国特許第９００９８６９号明細書
【特許文献３】韓国登録実用新案第２０−０４６２５５１号公報
【特許文献４】韓国登録実用新案第２０−０４６２９７６号公報
【発明の概要】
【発明が解決しようとする課題】
【００１４】
本発明の目的は、上述したような問題点を解決するためになされたものであって、バンド部と汗誘導部が一体からなって、製造工程を単純化することができる汗誘導用ヘアバンドを提供することである。
【００１５】
本発明の他の目的は、二重の締結構造により、着用後、ヘアバンドのずり下がりと弛みを防止しつつ、安定して維持する汗誘導用ヘアバンドを提供することである。
【００１６】
本発明の更に他の目的は、使用者の額部とヘアバンドの密着度を高くして、汗の流れを円滑に誘導し、快適な使用環境を維持する汗誘導用ヘアバンドを提供するのである。
【課題を解決するための手段】
【００１７】
前記目的を達成するために、本発明による汗誘導用ヘアバンドは、使用者の額部に弾力的に着用して、汗を誘導する汗誘導用ヘアバンドであって、使用者の額部に締め付けて装着可能な第１の締結部及び第２の締結部を含む締結部材と、前記第１の締結部を備えた第１のバンド部材と、前記第２の締結部を備えた第２のバンド部材とを含むバンド部と、前記第１のバンド部材と第２のバンド部材との間に設けられた汗誘導部とを含み、前記締結部材、バンド部、及び汗誘導部は、一体に形成されることを特徴とする。
【００１８】
前記汗誘導部は、一側面が使用者の額部に密着される第１の誘導部材と、前記第１の誘導部材の下部で前記第１の誘導部材に連続して設けられる汗案内部と、前記第１の誘導部材と間隔を置いて、前記汗案内部に連続して設けられる第２の誘導部材とを含む。
【００１９】
前記第１のバンド部材、前記第２の誘導部材、及び第２のバンド部材は、連続して一体に形成される。
【００２０】
前記第２の誘導部材の高さは、前記第１の誘導部材の高さよりも高く形成される。
【００２１】
前記第１の誘導部材の外側の下部には、使用者の額部と前記第１の誘導部材との間で隙間が形成されるように、複数の第１の突起が設けられる。
【００２２】
前記第２の誘導部材の内側には、前記第１の誘導部材と前記第２の誘導部材との間の間隔が維持されるように、複数の第２の突起が設けられる。
【００２３】
前記第１の誘導部材の両端部における汗案内部の幅は、前記第１の誘導部材の中央部分における汗案内部の幅よりも狭く形成される。
【００２４】
前記汗誘導部は、中央部と両端部からなり、前記中央部より両端部へ行くほど、傾斜して形成される。
【００２５】
前記汗誘導部は、前記バンド部に対して、５〜３０度の傾斜を有するように形成される。
【００２６】
前記第１の誘導部材には、複数の汗排出口が設けられる。
【００２７】
前記第１の誘導部材の上部は、山と谷を備えた波形状からなる。
【００２８】
前記山の部分は、前記第２の誘導部材と同一の高さであり、前記谷の部分は、前記第２の誘導部材より低く設けられる。
【００２９】
前記締結部材は、ヘアバンドを使用者の額部に二重に締め付ける。
【００３０】
前記締結部材は、前記第１のバンド部材の端部に形成された第１の固定突起と、前記第２のバンド部材の端部に形成された第２の固定突起と、前記第１及び第２の固定突起が結合するように、前記第１のバンド部材及び第２のバンド部材にそれぞれ設けられた複数の締結口とを含み、前記第１のバンド部材には、前記第２のバンド部材の一部が通過して、前記第２固定突起が前記第１のバンド部材の複数の締結口に締め付けられる貫通孔が設けられる。
【００３１】
前記第１のバンド部材と第２のバンド部材にはそれぞれ、ヘアバンドの装着位置を容易に調節するための少なくとも１つの孔が設けられる。
【００３２】
前記第１の誘導部材の両端部は、前記第１のバンド部材と第２のバンド部材にそれぞれ設けられた孔に隣接して設けられる。
【００３３】
前記汗案内部の両端部には、汗排出部材が連結される。
【００３４】
前記第１の誘導部材の上部は、外側に向かって曲げられる。
【００３５】
前記バンド部と汗誘導部は、弾性を持つゴム又は樹脂からなる。
【発明の効果】
【００３６】
上述したように、本発明による汗誘導用ヘアバンドによると、締結部材を備えたバンド部と汗誘導部が金型によって一体に形成されるので、製造工程を単純化し、製造コストを節減することができる。
【００３７】
また、本発明による汗誘導用ヘアバンドによると、締結部材がバンド部と共に一体に設けられるので、締結部材の破損又は亡失を防止することができる。
【００３８】
更に、本発明による汗誘導用ヘアバンドによると、第１の誘導部材の上部が山と谷を備えた波形状からなるので、額部より流下した汗が、山より谷に向かって流下した後、汗案内部に流れさせて、汗を円滑に誘導することができる。
【００３９】
また、本発明による汗誘導用ヘアバンドによると、二重の締結部を設けることによって、使用に際して、汗誘導用ヘアバンドのずり下がりと弛みなどを防止して、使用者の頭囲である円状の形態を安定して維持することができる。
【００４０】
なお、本発明による汗誘導用ヘアバンドによると、第１のバンド部材と第２のバンド部材に少なくとも１つの円状孔を設けることによって、使用者の頭部への着用に際して、着心地がよいだけでなく、ヘアバンドの装着位置を容易に調節することができる。
【図面の簡単な説明】
【００４１】
【図１】図１は、従来技術による汗あふれ防止機能を有する汗受けバンドの斜視図である。
【図２】図２は、本発明の第１実施例による汗誘導用ヘアバンドの斜視図である。
【図３】図３は、図２における汗誘導用ヘアバンドの締結状態図である。
【図４】図４は、図２における汗誘導用ヘアバンドの使用状態図である。
【図５】図５は、図２における汗誘導用ヘアバンドを一体に形成するための金型の一例を示す図である。
【図６】図６は、本発明の第２実施例による汗誘導用ヘアバンドの斜視図である。
【図７】図７は、本発明の第３実施例による汗誘導用ヘアバンドの斜視図である。
【図８】図８は、本発明の第４実施例による汗誘導用ヘアバンドの斜視図である。
【図９】図９は、本発明の第５実施例による汗誘導用ヘアバンドの斜視図である。
【図１０】図１０は、本発明の第６実施例による汗誘導用ヘアバンドにおける汗案内部の断面図である。
【図１１】図１１は、本発明の第７実施例による針目誘導用ヘアバンドにおける第１の誘導部材の両端部の断面図である。
【図１２】図１２は、本発明の第８実施例による汗誘導用ヘアバンドの斜視図である。
【図１３】図１３は、本発明の第９実施例による汗誘導用ヘアバンドの斜視図である。
【図１４】図１４は、本発明の第１０実施例による汗誘導用ヘアバンドの斜視図である。
【発明を実施するための形態】
【００４２】
本発明の前記及びその他の目的と新規の特徴は、本明細書の説明及び添付図面によって、更に明確になるだろう。
【００４３】
本発明による汗誘導用ヘアバンドの説明では、説明の便宜のために、いったいから成る汗誘導用ヘアバンドについて、それぞれの部分を区画して説明する。
【００４４】
以下、本発明の実施例を、図面によって説明する。
【実施例１】
【００４５】
本発明による汗誘導用ヘアバンドの第１実施例を、図２乃至図５によって説明する。
【００４６】
図２は、本発明の第１実施例による汗誘導用ヘアバンドの斜視図であり、図３は、図２における汗誘導用ヘアバンドの締結状態図であり、図４は、図２における汗誘導用ヘアバ
ンドの使用状態図であり、図５は、図２における汗誘導用ヘアバンドを一体に形成するための金型の一例を示す図である。
【００４７】
本発明による汗誘導用ヘアバンドは、図２に示しているように、使用者の額部に弾力的に着用して、汗を誘導する汗誘導用ヘアバンド（ｈａｉｒ  ｂａｎｄ）であって、使用者の額部に締結して装着する締結部材を備えた第１のバンド部材１１と第２のバンド部材１２とを含むバンド部１０と、前記第１のバンド部材１１と第２のバンド部材１２との間に設けられた汗誘導部２０とを含み、前記バンド部１０と汗誘導部２０は、分離不可な構造であって、一体に形成される。すなわち、前記バンド部１０と汗誘導部２０は、例えば、図５における金型１０００によって一体に形成されるが、これに限定されるものではなく、熱圧着などの方法で一体に形成してもよい。
【００４８】
前記バンド部１０と汗誘導部２０は、弾性を有するゴム又は樹脂からなり、樹脂としては、シリコン樹脂又は軟性プラスチック材質が使用可能であり、撥水性を有し、生理的に無害なシリコン樹脂を用いて、通常の金型によって一体に形成するのが望ましい。本発明による汗誘導用ヘアバンドが人体に無害であり、人間の皮膚と最も類似した硬度を有するシリコン樹脂を用いて、金型などによって一体に設ける場合、皮膚の圧迫を減らすことができ、異質感を解消し、１つの工程により完成されるので、製作コストを節減することができる。すなわち、本発明では、締結部材を備えたバンド部１０と汗誘導部２０を、図５に示しているような金型などによって一体に形成することによって、従来のヘッドバンド装置などにおいて、バンド部と別に、弾性ループ部材、フックファスナー（ｆａｓｔｅｎｅｒ）などを備えるので製造工程が煩雑であり、製造コストが増加するという問題を、解決することができる。
【００４９】
前記汗誘導部２０は、図２に示しているように、一側面が使用者の額部に密着される第１の誘導部材２１と、前記第１の誘導部材２１の下部において、前記第１の誘導部材２１に連続して設けられる汗案内部２２と、前記第１の誘導部材２１と間隔を置いて、前記汗案内部２２に連続して設けられる第２の誘導部材２３とを含み、その断面が、図２における拡大部である断面図から分かるように、略Ｕ字状であって、一体に設けられる。
【００５０】
本発明において、前記第１の誘導部材２１の外側は、使用に際して、使用者の額部と当接する部分をいい、第１の誘導部材２１の内側は、汗案内部２２に向かう部分をいい、第２の誘導部材２３の内側は、汗案内部２２に向かう部分をいう。
【００５１】
また、前記第１の誘導部材２１の上部は、図２に示しているように、山と谷を備えた波形状からなり、山と谷の各部は、汗案内部２２に向かって傾斜して設けられる。また、前記山の部分は、前記第２の誘導部材２３と略同一の高さであり、前記谷の部分は、第２の誘導部材２３よりも低く設けられる。しかし、これに限定されるものではなく、第２の誘導部材２３の高さを、第１の誘導部材２１の高さよりも高く形成してもよい。すなわち、第１の誘導部材２１の山の部分を、第２の誘導部材２３よりも低く設けて、過多な汗の排出時、汗が第２の誘導部材２３をあふれて、使用者の目部に流れることを防止することができる。そこで、使用者の額部から流下する汗が、第１の誘導部材２１の内側に沿って、汗案内部２２に乗って容易に流下することになる。
【００５２】
図２に示しているように、本発明による汗誘導用ヘアバンドによると、波形状の勾配により、額部に流下した汗が、山から谷に向かって流下した後、汗案内部２２に流れるので、汗誘導用ヘアバンドにおける汗の流れを円滑に誘導することになる。すなわち、従来技術では、額部より流下した汗滴が小さい場合、汗案内部に誘導されず、ヘアバンドの上部に沿って流れる状態が生じたが、本発明では、第１の誘導部材２１の上部が波形状の勾配を持つように設けられるので、山部に流れた汗滴は、直ぐ谷部に流れて汗案内部２２に導かれ、谷部に流れた汗滴は、山部によって阻止されて、汗案内部２２にのみ導かれる。すなわち、本発明による汗誘導用ヘアバンドでは、従来技術とは異なり、ヘアバンドの上部に沿って流れる状態の発生を防止することができる。
【００５３】
また、使用者の額部に当接する部分である前記第１の誘導部材２１の外側の下部には、図２に示しているように、使用者の額部と前記第１の誘導部材２１との間で隙間が形成するように、複数の第１の突起２１１が設けられる。
【００５４】
前記第１の誘導部材２１の外側の下部に、複数の第１の突起２１１を、一定の間隔を置いて設けることによって、使用者の額部との接触面を最小化して、着用時の圧迫感及び異質感を最小化することができる。また、使用者の額部と第１の誘導部材２１との間に微細な隙間が生じて、外部空気を通すことで、快適な使用環境を維持することができる。また、複数の第１の突起２１１によって、着用に際して、第１の誘導部材２１が額部より滑ることを防止し、第１の誘導部材２１の上部に形成された山部及び谷部と額部の密着度を高めて、汗流れを円滑に誘導し、汗が、第１の誘導部材２１の外側を介して漏れて、顔に乗って目部に流れることを防止することができる。
【００５５】
本発明による汗誘導用ヘアバンドにおいて、第１のバンド部材１１、第２の誘導部材２３、及び第２のバンド部材１２は、図２に示しているように連続して一体に形成される。前記第２の誘導部材２３の内側の上部には、前記第１の誘導部材２１と第２の誘導部材２３との間の間隔が維持されるように、複数の第２の突起２３１が所定の間隔で設けられる。前記複数の第２の突起２３１を設けることによって、着用に際して、弾性を有するゴム又はシリコン樹脂からなる汗誘導用ヘアバンドが使用者の額部で伸びて、第１の誘導部材２１と第２の誘導部材２３が密着することを防止して、前記第１の誘導部材２１の内側に誘導された汗が、汗案内部２２に導かれる。また、図２では、複数の第２の突起２３１が、第２の誘導部材２３の内側の上部に設けられる構造を示しているが、これに限定されるものではなく、第２の誘導部材２３の内側の中央部に設けても、第１の誘導部材２１の内側に設けてもよい。
【００５６】
また、本発明による汗誘導用ヘアバンドにおいて、前記第１の誘導部材２１の両端部は、図２に示しているように、第１のバンド部材１１と第２のバンド部材１２に向かって傾斜して形成される。すなわち、第１の誘導部材２１の両端部では、最後の谷部が、第１の誘導部材２１の下端に向かって傾斜して設けられることによって、汗案内部２２に導かれた汗が、汗誘導部２０に排出されることになる。
【００５７】
このような第１の誘導部材２１は、図４に示しているように、使用者の耳後ろ部分まで延設され、使用者の頭部へ汗が排出されることになる。
【００５８】
前記汗誘導部２０の第２の誘導部材２３の両側に連続して設けられた第１のバンド部材１１と第２のバンド部材１２には、図２に示しているように、それぞれ、ヘアバンドの装着位置を容易に調節するための少なくとも１つの円状孔１１１、１２１が設けられる。図２における構造では、第１のバンド部材１１と第２のバンド部材１２にそれぞれ、１０個の孔が設けられた構造を示しているが、これに限定されるものではなく、汗誘導用ヘアバンドをなす材質によって、加減可能である。前記円状孔１１１、１２１は、伸縮可能であり、着心地が良いだけでなく、通気性により空気誘導をさせて、使用時において快適性を持たせる。すなわち、前記円状孔１１１、１２１は、使用者の頭部に着用時、図４に示しているように、楕円状に変形して、着心地がよいだけでなく、ヘアバンドの装着位置を容易に調節することができる。例えば、使用者が本発明による汗誘導用ヘアバンドを額部に装着した後、汗誘導部２０を手で取って、前に引いて上下に移動して装着位置を調節する場合、円状孔１１１、１２１が伸張し、図４に示しているように楕円状に変形して、装着位置を調節することができる。
【００５９】
上述したように、本発明による汗誘導用ヘアバンドでは、第２の誘導部材２３が第１の誘導部材２１よりも長く形成され、図２及び図４に示しているように、第１の誘導部材２１の両端部が、前記第１のバンド部材１１と第２のバンド部材１２にそれぞれ設けられた孔１１１、１２１に隣接して設けられるので、汗案内部２２に誘導された汗が、使用者の顔部分に落ちることを防止することになる。
【００６０】
また、本発明による汗誘導用ヘアバンドを装着し、汗が排出される過程において、使用者が頭をたれる状況が生じても、第２の誘導部材２３が第１の誘導部材２１よりも長く形成され、第２の誘導部材２３の両側が、第１のバンド部材１１と第２のバンド部材１２に連続して設けられ、第１の誘導部材２１が使用者の耳後ろ部分まで延設されるので、汗が使用者の顔部分に排出されることを防止することになる。
【００６１】
前記第１のバンド部材１１と第２のバンド部材１２の端部には、締結部材が連続して設けられる。
【００６２】
前記締結部材は、ヘアバンドを使用者の額部に装着するための第１の締結部と第２の締結部からなる二重の締結部を含み、前記二重の締結部は、図２に示しているように、前記第１のバンド部材１１の端部に形成された第１の固定突起１１３と、前記第２のバンド部材１２の端部に形成された第２の固定突起１２３と、前記第１及び第２の固定突起が結合するように、前記第１のバンド部材１１及び第２のバンド部材１２にそれぞれ設けられた複数の締結口１１２、１２２とを含み、第１のバンド部材１１には、第２のバンド部材１２の一部が通過して、第２の固定突起１２３を、前記第１のバンド部材１１の複数の締結口１１２に締め付けるための貫通孔１１４が設けられる。
【００６３】
前記二重の締結部を用いて、第２のバンド部材１２の第２の固定突起１２３が、貫通孔１１４を通して、前記第１のバンド部材１１の複数の締結口１１２のいずれか１つに締め付けられ、前記第１のバンド部材１１の第１の固定突起１１３が、第２のバンド部材１２の複数の締結口１２２のいずれか１つに締め付けられることによって、図３に示しているようなヘアバンド形状をなすことになる。
【００６４】
前記複数の締結口１１２、１２２は、図２において４つを設け、それぞれ４段階のサイズ調節により、人間毎に異なる頭上のサイズに対応して調節可能であり、従来技術のように、別の流動性を有するための追加部品、例えば、バンド又はＯリングなどを排除することで、製造コストを安くするというメリットと、織物からなるゴムバンドの汗による匂い、非衛生的な問題点を排除することができる。前記複数の締結口１１２、１２２を、図２では４つ設けた構造を示しているが、これに限定されるものではなく、４つ未満又は４つを超えて設けてもよい。
【００６５】
また、本発明による汗誘導用ヘアバンドでは、バンド部１０と汗誘導部２０は、金型１０００などにより一体に形成し、バンド部１０に二重の締結部が設けられるので、従来技術における部品破損、例えば、バックル、ボタン、又はマジックテープ（登録商標）などの機能失い、Ｏリングの破損に対する問題を解決することができる。
【００６６】
また、第２のバンド部材１２の第２の固定突起１２３が、貫通孔１１４を通して、前記第１のバンド部材１１の複数の締結口１１２に締め付けられ、前記第１のバンド部材１１の第１の固定突起１１３が、第２のバンド部材１２の複数の締結口１２２に締め付けられる構造を設けることによって、使用に際して、汗誘導用ヘアバンドのずり下がりと弛みなどを防止し、使用者の頭囲による円状の形態を安定して維持することができる。
【００６７】
一方、前記説明では、第１の固定突起１１３と第２の固定突起１２３がそれぞれ、複数の締結口１１２、１２２のいずれか１つに締め付けられる構造として説明したが、これに限定されるものではなく、第１の固定突起１１３と第２の固定突起１２３が、複数の円状孔１１１、１２１のいずれか１つに締め付けられる構造として使用してもよい。
【実施例２】
【００６８】
本発明による汗誘導用ヘアバンドの第２実施例を、図６によって説明する。また、第２実施例の説明では、その主要構成についてのみ説明し、その他の構成は、第１実施例と同一の構成を備えるので、これに関する繰返し説明は、省略する。
【００６９】
図６は、本発明の第２実施例による汗誘導用ヘアバンドの斜視図であって、汗誘導部２０の第１の誘導部材２１と第２の誘導部材２３の状態のみを示している。
【００７０】
本発明の第２実施例による汗誘導用ヘアバンドは、図６に示しているように、汗誘導部２０が中央部と両端部からなる形状において、前記中央部から両端部に行くほど、傾斜して形成される。すなわち、前記汗誘導部２０は、前記バンド部１０に対して、５〜２０度の傾斜をもって形成される。すなわち、第１実施例では、バンド部１０と汗誘導部２０が同一の平面に形成され、使用者が汗誘導用ヘアバンドの着用時、図４に示しているように、汗誘導用ヘアバンド自体を傾斜して着用する構造を示しているが、第２実施例では、汗誘導部２０が、バンド部１０に対して５〜２０度の傾斜をもって形成されるので、使用者が、汗誘導用ヘアバンドを、額部で略直線形状に着用しても、汗誘導部２０が曲線形状からなり、これによって、汗案内部２２も曲線形状からなって、汗案内部２２に導かれた汗が、第１の誘導部材２１の両端部に円滑に誘導排出される。
【００７１】
一方、第１の誘導部材２１が、中央部と両端部からなる形状において、前記中央部から両端部に行くほど、傾斜して形成することもできる。すなわち、第１の誘導部材２１の中央部における山は、第２の誘導部材２３と略同一の高さで設けられ、前記中央部から両端部に行くほど、第１の誘導部材２１の山が、第２の誘導部材２３の高さよりも逐次低く設けられる。具体的に、第１実施例では、第１の誘導部材２１の山が直線形状に設けられた構造を示しているが、第２実施例では、第１の誘導部材２１の山が曲線形状に設けられる。
【実施例３】
【００７２】
本発明による汗誘導用ヘアバンドの第３実施例を、図７によって説明する。また、第３実施例の説明では、その主要構成についてのみ説明し、その他の構成は、第１実施例と同一の構成を備えるので、これに関する繰返し説明は、省略する。
【００７３】
図７は、本発明の第３実施例による汗誘導用ヘアバンドを、側面から見た斜視図である。
【００７４】
本発明の第３実施例による汗誘導用ヘアバンドは、図７に示しているように、汗誘導部２０が、バンド部１０に対して、１０〜３０度の傾斜（α）を持つように形成される。この第３の実施例において、汗誘導部２０がバンド部１０に対して傾斜して形成したことを除くと、第１実施例の構成と同様である。
【００７５】
このように汗誘導部２０がバンド部１０に対して傾斜して形成することは、図５に示しているような金型１０００の形状を変形することによって、容易に実現することができる。
【００７６】
そこで、第３実施例によると、使用者が汗誘導用ヘアバンドを略直線形状に着用しても、汗誘導部２０がバンド部１０に対して傾斜して装着されるので、第２実施例のように、汗案内部２２に導かれた汗が、第１の誘導部材２１の両端部に円滑に誘導排出される。
【実施例４】
【００７７】
本発明による汗誘導用ヘアバンドの第４実施例を、図８によって説明する。また、第４実施例の説明では、その主要構成についてのみ説明し、その他の構成は、第１実施例と同一の構成を備えるので、これに関する繰返し説明は、省略する。
【００７８】
図８は、本発明の第４実施例による汗誘導用ヘアバンドの斜視図である。
【００７９】
本発明の第４実施例による汗誘導用ヘアバンドは、図８に示しているように、第１のバンド部材１１と第２のバンド部材１２のそれぞれに、１つの長孔１１１、１２１を設けている。すなわち、第１実施例では、ヘアバンドの装着位置を容易に調節するために、第１のバンド部材１１と第２のバンド部材１２にそれぞれ、１０つの孔が設けられた構造を示しているが、第４実施例では、図８に示しているように、１つの長孔を設けている。
【００８０】
上述したように、本発明の第４実施例による汗誘導用ヘアバンドでは、第１実施例と比較して、１つの長孔１１１、１２１を設けているので、バンド部１０と汗誘導部２０を一体に成形するための金型１０００の構造を単純化することができる。
【実施例５】
【００８１】
本発明による汗誘導用ヘアバンドの第５実施例を、図９によって説明する。また、第５実施例の説明では、その主要構成についてのみ説明し、その他の構成は、第１実施例と同一の構成を備えるので、これに関する繰返し説明は、省略する。
【００８２】
図９は、本発明の第５実施例による汗誘導用ヘアバンドの斜視図であって、第１の誘導部材２１の構造を示している。
【００８３】
本発明の第５実施例による汗誘導用ヘアバンドは、図９に示しているように、第１の誘導部材２１に複数の汗排出口２１２を設けている。
【００８４】
すなわち、複数の汗排出口２１２は、図９に示しているように、第１の誘導部材２１の山が形成された部分の下方に設けられる。また、図９に示している構造では、複数の汗排出口２１２が山形成部分の下方に設けられた構造を示しているが、これに限定されるものではなく、谷が形成された部分に設けてもよい。
【００８５】
本発明の第５実施例による汗誘導用ヘアバンドでは、図９に示しているように、使用者の額部に密着される第１の誘導部材２１に、複数の汗排出口２１２を設けることによって、第１の誘導部材２１が装着された額部で発生する汗を、汗排出口２１２を介して、汗案内部２２に誘導することができる。このため、使用者が本発明による汗誘導用ヘアバンドの着用において、より快適性を有することにする。
【００８６】
また、前記第５実施例の構造は、上述した第２乃至第４実施例の構造にも適用可能である。
【実施例６】
【００８７】
本発明による汗誘導用ヘアバンドの第６実施例を、図１０によって説明する。また、第６実施例の説明では、その主要構成についてのみ説明し、その他の構成は、第１実施例と同一の構成を備えるので、これに関する繰返し説明は、省略する。
【００８８】
図１０は、本発明の第６実施例による汗誘導用ヘアバンドにおける汗案内部の断面図であって、第１実施例の変形である第１の誘導部材２１の構造を示している。
【００８９】
図１０に示しているように、第６実施例による汗誘導用ヘアバンドでは、第１の誘導部材２１の上部が外側に向かって曲げられた状態で設けられる。このように、第１の誘導部材２１の上部が外側に向かって曲げられた状態で設けられることによって、使用に際して、使用者の額部と第１の誘導部材２１の密着力を向上させて、額部から流れる汗が、使用者の額部と当接する部分である第１の誘導部材２１の外側に向かって流れることを更に防止することができる。
【実施例７】
【００９０】
本発明による汗誘導用ヘアバンドの第７実施例を、図１１によって説明する。また、第７実施例の説明では、その主要構成についてのみ説明し、その他の構成は、第１実施例と同一の構成を備えるので、これに関する繰返し説明は、省略する。
【００９１】
図１１は、本発明の第７実施例による汗誘導用ヘアバンドにおける第１の誘導部材の両端部の断面図であって、第１の誘導部材２１、汗案内部２２、第２の誘導部材２３の状態を示している。
【００９２】
第７実施例による汗誘導用ヘアバンドでは、汗誘導部２０が、中央部と両端部とからなり、前記中央部より両端部へ行くほど、汗案内部２２の幅が狭く形成される構造を示している。すなわち、汗案内部２２の中央部分は、図２又は図１０に示しているように、略Ｕ字状に形成され、第１の誘導部材２１の両端部では、図１１に示しているように、略Ｖ字状に設けられて、第１の誘導部材２１の中央部分から両端部に行くほど、汗案内部２２の幅が狭く形成される。
【００９３】
そこで、汗誘導用ヘアバンドを使用者が着用する場合、第１の誘導部材２１の両端部が、第２の誘導部材２３によって使用者の頭部に押される構造となるので、使用者の頭部においても、汗誘導部２０の密着力を増加することができる。
【実施例８】
【００９４】
本発明による汗誘導用ヘアバンドの第８実施例を、図１２によって説明する。また、第８実施例の説明では、その主要構成についてのみ説明し、その他の構成は、第１実施例と同一の構成を備えるので、これに関する繰返し説明は、省略する。
【００９５】
図１２は、本発明の第８実施例による汗誘導用ヘアバンドの斜視図である。
【００９６】
本発明の第８実施例による汗誘導用ヘアバンドは、図１２に示しているように、第１の誘導部材２１の両端部に汗排出部材３０が連結するように設けられる。前記汗排出部材３０は、第１の誘導部材２１、汗案内部２２、及び第２の誘導部材２３の一部が、図１２に示しているように、第１のバンド部材１１と第２のバンド部材１２よりそれぞれ延設して形成される。しかし、これに限定されるものではなく、前記汗排出部材３０は、例えば、吸着材、合成樹脂材、又はプラスチックとして設けられ、ストロー又はストリング（ｓｔｒｉｎｇ）のような形状からなってもよい。
【００９７】
上述したように、本発明の第８実施例による汗誘導用ヘアバンドにおいて、汗排出部材３０を設けることによって、汗案内部２２に導かれた汗が使用者の身体と接触することなく、直接外部に排出されて、使用者が汗排出について、より快適な感じを有することができる。
【実施例９】
【００９８】
本発明による汗誘導用ヘアバンドの第９実施例を、図１３によって説明する。また、第９実施例の説明では、その主要構成についてのみ説明し、その他の構成は、第１実施例と同一の構成を備えるので、これに関する繰返し的明は、省略する。
【００９９】
図１３は、本発明の第９実施例による汗誘導用ヘアバンドを、側面より見た斜視図である。
【０１００】
本発明の第９実施例による汗誘導用ヘアバンドは、図１３に示しているように、締結部材が設けられず、第１のバンド部材１１と第２のバンド部材１２との間が開放した構造として設けられる。すなわち、第１のバンド部材１１と第２のバンド部材１２内にはそれぞれ、曲げ状態を維持することができる金属材のピン６０が挿入される。このようなピン６０は、バンド部１０と汗誘導部２０を金型１０００により一体に成形することに当たり、図１３に示しているように、金型１０００内の第１のバンド部材１１と第２のバンド部材１２の形成部分に予め装着して、バンド部１０と汗誘導部２０を成形することによって、容易に実現することができる。また、前記ピン６０の強度、長さなどは、汗誘導用ヘアバンドを使用者の額部に密着させる程度であれば十分であり、特定の条件に限定されるものではない。
【０１０１】
上述したように、本発明の第９実施例による汗誘導用ヘアバンドでは、締結部材を設けていないので、締結部材を形成するための金型より単純化した金型を用いることができ、使用者の意図によって、汗誘導用ヘアバンドの装着位置を容易に変更することができる。
【実施例１０】
【０１０２】
本発明による汗誘導用ヘアバンドの第１０実施例を、図１４によって説明する。また、第１０実施例の説明では、その主要構成についてのみ説明し、その他の構成は、第１実施例と同一の構成を備えるので、これに関する繰返し説明は、省略する。
【０１０３】
図１４は、本発明の第１０実施例による汗誘導用ヘアバンドの斜視図である。
【０１０４】
本発明の第１０実施例による汗誘導用ヘアバンドは、図１４に示しているように、締結部材がヘアバンドの装着位置を調整するために、従来技術のように、弾性ループ部材４０と、この弾性ループ部材４０に結合されるストラップ（ｓｔｒａｐ、５０）とを設けている。また、ストラップ５０としては、バックル、ボタン、マジックテープ（登録商標）のいずれか１つを適用することができる。
【０１０５】
上述したように、本発明の第１０実施例による汗誘導用ヘアバンドでは、従来技術のように、例えば、弾性ループ部材とフックファスナーを適用しても、第１の誘導部材２１の上部が、山と谷を備えた波形状からなるので、波形状の勾配によって、額部から流下した汗が、山から谷に向かって流下した後、汗案内部２２に流れて、従来技術と比較して、汗流れが円滑に誘導される。
【０１０６】
以上、本発明者によってなされた発明を、前記実施例によって具体的に説明したが、本発明は、前記実施例に限定されるものではなく、その要旨を逸脱しない範囲で、種々と変更可能であることは、言うまでもない。
【産業上の利用可能性】
【０１０７】
本発明による汗誘導用ヘアバンドを用いることによって、製造工程を単純化し、製造コストを節減することができる。
【図１】
0006976008.tif 000002
【図２】
0006976008.tif 000003
【図３】
0006976008.tif 000004
【図４】
0006976008.tif 000005
【図５】
0006976008.tif 000006
【図６】
0006976008.tif 000007
【図７】
0006976008.tif 000008
【図８】
0006976008.tif 000009
【図９】
0006976008.tif 000010
【図１０】
0006976008.tif 000011
【図１１】
0006976008.tif 000012
【図１２】
0006976008.tif 000013
【図１３】
0006976008.tif 000014
【図１４】
0006976008.tif 000015